【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
第一局と第二局とを有する無線ローカルエリアネットワークにおいて隠れノードを検出する方法であって、前記第一局および前記第二局の両方がアクセスポイントに関連付けられており、
前記方法は、
前記アクセスポイントを介して前記第一局から前期第二局にメッセージを送信することであって、前記メッセージはデータフレームとして送信される、ことと、
前記第二局から前記アクセスポイントに送信された受領通知を前記第一局において監視することであって、前記受領通知は、前記アクセスポイントから前記メッセージを受信したことに応答して前記第二局によって送信され、前記受領通知は、制御フレームとして送信される、ことと
を含む、方法。
【請求項２】
前記第一局が前記受領通知を検出しない場合には前記第二局が前記第一局の隠れノードであると決定することをさらに含む、請求項１に記載の方法。
【請求項３】
前記第一局が前記受領通知を検出した場合には前記第二局が前記第一局の隠れノードではないと決定することをさらに含む、請求項１に記載の方法。
【請求項４】
前記アクセスポイントから受領通知を前記第一局において受信することであって、前記受領通知は、前記第一局から前記メッセージを受信したことに応答して前記アクセスポイントによって送信され、前記受領通知は、制御フレームとして送信される、ことと
をさらに含む、請求項１に記載の方法。
【請求項５】
前記メッセージに対する前記アクセスポイントからの受領通知を所定の期間内に前記第一局が受信しない場合には前記メッセージを前記第一局から再送信することをさらに含む、請求項１に記載の方法。
【請求項６】
前記メッセージは、前記第二局に設定された目的地アドレスと、前記アクセスポイントに設定されたＢＳＳＩＤと、前記第一局に設定されたソースアドレスとを有するヘッダーを含む、請求項１に記載の方法。
【請求項７】
前記データフレームおよび前記制御フレームは、ＯＳＩモデルにおけるネットワーク層より下で送受信される、請求項１に記載の方法。
【請求項８】
前記データフレームおよび前記制御フレームは、ＩＥＥＥ  ８０２．１１規格に従ってＯＳＩモデルのデータリンク層において送信される、請求項１に記載の方法。
【請求項９】
前記データフレームの長さは最短で２９バイトであり、
前記制御フレームの長さは最長で２０バイトであり、
前記受領通知の長さは１４バイトである、請求項１に記載の方法。
【請求項１０】
前記第一局は、診断ツールである、請求項１に記載の方法。
【請求項１１】
前記第一局は、管理ツールである、請求項１に記載の方法。
【請求項１２】
前記第一局からメッセージを繰り返し送信することであって、前記メッセージは、データフレームとして送信される、ことと、
前記第二局からアクセスポイントに送信される受領通知を前記第一局において監視することであって、前記受領通知は、制御フレームとして送信される、ことと
をさらに含む、請求項１に記載の方法。
【請求項１３】
前記第二局から前記アクセスポイントに送信された少なくとも一つの受領通知を前記第一局が検出した場合には前記第二局が前記第一局の隠れノードではないと決定することをさらに含む、請求項１２に記載の方法。
【請求項１４】
前記第二局から前記アクセスポイントに送信された少なくとも一つの受領通知を前記第一局が検出しない場合には前記第二局が前記第一局の隠れノードであると決定することをさらに含む、請求項１２に記載の方法。
【請求項１５】
アクセスポイントに関連付けられた第二局を有する無線ローカルエリアネットワークにおいて隠れノードを検出するシステムであって、
前記システムは、第一局を備えており、
前記第一局は、前記アクセスポイントに関連するように構成されており、
前記第一局は、前記アクセスポイントを介して前記第二局にメッセージを送信するように構成されており、前記メッセージは、データフレームとして送信され、
前記第一局は、前記第二局から前記アクセスポイントに送信される受領通知を監視するように構成されており、前記受領通知は、前記アクセスポイントから前記メッセージを受信したことに応答して前記第二局によって送信され、前記受領通知は、制御フレームとして送信される、システム。
【請求項１６】
前記第一局が前記受領通知を検出しない場合には前記第二局が前記第一局の隠れノードであると決定するように前記第一局がさらに構成されている、請求項１５に記載のシステム。
【請求項１７】
前記第一局が前記受領通知を検出した場合には前記第二局が前記第一局の隠れノードではないと決定するように前記第一局がさらに構成されている、請求項１５に記載のシステム。
【請求項１８】
前記第一局からメッセージを受信したことに応答して前記第一局に受領通知を送信するように前記アクセスポイントがさらに構成されており、
前記アクセスポイントから送信された受領通知を受信するように前記第一局がさらに構成されている、請求項１５に記載のシステム。
【請求項１９】
前記メッセージに対する前記アクセスポイントからの受領通知を所定の期間内に前記第一局が受信しない場合には前記メッセージを再送信するように前記第一局がさらに構成されている、請求項１８に記載のシステム。
【請求項２０】
前記第一局は、診断ツールである、請求項１５に記載のシステム。
【請求項２１】
前記第一局は、管理ツールである、請求項１５に記載のシステム。
【請求項２２】
前記第一局は、メッセージを繰り返し送信するように構成されており、前記メッセージは、データフレームとして送信され、
前記第一局は、前記第二局から前記アクセスポイントに送信された受領通知を監視するように構成されており、前記受領通知は、制御フレームとして送信される、請求項１５に記載のシステム。
【請求項２３】
前記第二局から前記アクセスポイントに送信された少なくとも一つの受領通知を前記第一局が検出した場合には前記第二局が前記第一局の隠れノードではないと決定するように前記第一局がさらに構成されている、請求項２２に記載のシステム。
【請求項２４】
前記第二局から前記アクセスポイントに送信された少なくとも一つの受領通知を前記第一局が検出しない場合には前記第二局が前記第一局の隠れノードであると決定するように前記第一局がさらに構成されている、請求項２２に記載のシステム。
【請求項２５】
第一局と第二局とを有する無線ローカルエリアネットワークにおいて隠れノードを検出するためのコンピュータコードを含むコンピュータ読取可能媒体であって、前記第一局および前記第二局の両方がアクセスポイントに関連付けられており、
前記コンピュータ読取可能媒体は、
前記アクセスポイントを介して前記第一局から前記第二局にメッセージを送信するためのコンピュータコードであって、前記メッセージはデータフレームとして送信される、コンピュータコードと、
前記第二局から前記アクセスポイントに送信される受領通知を前記第一局において監視するためのコンピュータコードであって、前記受領通知は、前記アクセスポイントから前記メッセージを受信したことに応答して前記第二局によって送信され、前記受領通知は、制御フレームとして送信される、コンピュータコードと
を含む、コンピュータ読取可能媒体。
【請求項２６】
前記第一局が前記受領通知を検出しない場合には前記第二局が前記第一局の隠れノードであると決定するためのコンピュータコードをさらに含む、請求項２５に記載のコンピュータ読取可能媒体。
【請求項２７】
前記第一局が前記受領通知を検出した場合には前記第二局が前記第一局の隠れノードではないと決定するためのコンピュータコードをさらに含む、請求項２５に記載のコンピュータ読取可能媒体。
【請求項２８】
前記メッセージに対する前記アクセスポイントからの受領通知を所定の期間内に前記第一局が受信しない場合には前記メッセージを前記第一局から再送信するためのコンピュータコードをさらに含む、請求項２５に記載のコンピュータ読取可能媒体。
【請求項２９】
前記第一局からメッセージを繰り返し送信するためのコンピュータコードであって、前記メッセージは、データフレームとして送信される、コンピュータコードと、
前記第二局から前記アクセスポイントに送信された受領通知を前記第一局において監視するためのコンピュータコードであって、前記受領通知は、制御フレームとして送信される、コンピュータコードと
をさらに含む、請求項２５に記載のコンピュータ読取可能媒体。
【請求項３０】
前記第二局から前記アクセスポイントに送信された少なくとも一つの受領通知を前記第一局が検出した場合には前記第二局が前記第一局の隠れノードではないと決定するためのコンピュータコードをさらに含む、請求項２９に記載のコンピュータ読取可能媒体。
【請求項３１】
前記第二局から前記アクセスポイントに送信された少なくとも一つの受領通知を前記第一局が検出しない場合には前記第二局が前記第一局の隠れノードであると決定するためのコンピュータコードをさらに含む、請求項２９に記載のコンピュータ読取可能媒体。